(57)【要約】【課題】均一に摩耗する線状物用プロテクタを提供する。【解決手段】線状物用プロテクタ１は、線状物の外周面に線状物と同心状に取付け可能に構成されたナイロン樹脂製の筒状本体２と、線状物の外周面に面する筒状本体２の内周面の周方向に沿って設けられると共に、線状物の外周面と筒状本体２の内周面との間に所定の間隙を形成する高さを有する２本の突起部３を備える。２本の突起部３は、互いに略平行にかつ所定の間隔で離れて設けられる。筒状本体２は、略半円形の第１の構成体２Ａと、結合ピン４を貫通孔７に通して第１の構成体２Ａと着脱可能に結合して筒状本体２を形成する、略半円形の第２の構成体２Ｂとで構成される。第１の構成体２Ａと第２の構成体２Ｂはそれぞれ、端部に凸部５と凹部６とを有する。【選択図】図１
2012102762.tif 000002
【特許請求の範囲】
【請求項１】
線状物の外周面に同線状物と同心状に取付け可能に構成された筒状本体と、
前記線状物の外周面に面する前記筒状本体の内周面の周方向に沿って設けられると共に、前記線状物の外周面と前記筒状本体の内周面との間に所定の間隙を形成する高さを有する突起部とを備える
線状物用プロテクタ。
【請求項２】
前記筒状本体の内周面に、複数の窪みが形成された
請求項１に記載の線状物用プロテクタ。
【請求項３】
前記突起部は、互いに略平行にかつ所定の間隔で離れて設けられる複数の突起部である
請求項１に記載の線状物用プロテクタ。
【請求項４】
前記筒状本体は、第１の構成体と、
該第１の構成体と着脱可能に結合して前記筒状本体を形成する第２の構成体とで構成される
請求項１〜３のいずれか１つに記載の線状物用プロテクタ。
【請求項５】
前記第１の構成体及び前記第２の構成体はそれぞれ、前記筒状本体の中心軸線と略平行な方向に、結合ピンが通される貫通孔が形成された
請求項４に記載の線状物用プロテクタ。
【請求項６】
前記突起部は、前記筒状本体の端面から離れた位置に設けられた
請求項１〜５のいずれか１つに記載の線状物用プロテクタ。
【請求項７】
前記突起部は、前記筒状本体の内周面の周方向に沿って移動可能に構成される
請求項１〜６のいずれか１つに記載の線状物用プロテクタ。
【請求項８】
略半円形の第１の構成体と、該第１の構成体と着脱可能に結合して筒状本体を形成する、略半円形の第２の構成体とを備える線状物用プロテクタにおいて、
前記筒状本体は、線状物の外周面に同線状物と同心状に取付けられた場合に、前記筒状本体の周方向に回転可能であると共に、前記筒状本体の中心軸線と略平行な方向の動きが抑制されるよう構成される
線状物用プロテクタ。
【発明の詳細な説明】
【技術分野】
【０００１】
本発明は線状物用プロテクタに関する。詳しくは、例えば、航空機に燃料を補給する為の燃料ホースを保護する線状物用プロテクタに係るものである。
【背景技術】
【０００２】
航空業界等の特定の分野では、航空機の点検修理のために、ゴム等の軟質絶縁材料で覆われた燃料ホースおよび電気ケーブルを、コンクリートやアスファルト等の上で引きずらなければならない。
【０００３】
多くの空港では、ホース及び／またはケーブルを１日に何回もコンクリートやアスファルト等の上で移動させなければならない。
また、コンクリートやアスファルト等の表面は、濡れていることもあれば、ガソリンや化学物質が付着している場合もある。
【０００４】
従って、ホース及び／またはケーブルは、コンクリートやアスファルト等の上で引きずられることによる摩耗や、ガソリンなどの付着のため、頻繁に交換する必要がある。加えて、自然の力や紫外線に絶えず曝されるため交換の間隔は短くなる。
【０００５】
そこで、摩耗などからホース等を保護するために、ホース等の外周面に、プロテクタを装着することが行なわれている。
【０００６】
例えば、特許文献１には、図１０に示されるようなプロテクタ付きホースが記載されている。
図１０に示されるように、プロテクタ固定具１１０の第３板状片１１３を、第２板状片１１２側に押し付けるように変形させながら、他端側の開口端１１５から第１板状片１１１と第２板状片１１２の間にプロテクタ１０２の端部を挿入し、同時にホース１０１とプロテクタ１０２の間の隙間に、上記のように変形させた第２板状片１１２と第３板状片１１３を挿入する。
【０００７】
このようにして、プロテクタ１０２の端部に取付けられたプロテクタ固定具１１０は、間に挿入されたプロテクタ１０２の端部によって押し広げられた第１板状片１１１と第２板状片１１２が反発力によりプロテクタ１０２を挟持し、係止凸部１１６がプロテクタ１０２の外周面に押し付けられるので、プロテクタ１０２を離脱しないように固定することができる。
【０００８】
それと同時に、ホース１０１とプロテクタ１０２の間の隙間に挿入された第３板状片１１３には、反発力により第２板状片１１２から離れようとする力が働くので、第３板状片１１３及びその係止凸部１１７がホース１０１の外周面に強く押し付けられる。その結果、プロテクタ固定具１１０は、プロテクタ１０２を離脱しないように保持しながらホース１０１の外周面に係止されるので、プロテクタ１０２はホース１０１の外周面に移動しない程度に固定される。
【先行技術文献】
【特許文献】
【０００９】
【特許文献１】特開平１０−２４６３８６号公報
【発明の概要】
【発明が解決しようとする課題】
【００１０】
このように、特許文献１のプロテクタは、固定具で押し付けられて固定され、プロテクタの動きがないので、均一に摩耗し難く、その結果、摩耗の激しい箇所と、そうではない箇所が生じていた。
【００１１】
また、摩耗した箇所は当然ながら薄くなるため、薄くなった箇所側にプロテクタが傾き、しかもプロテクタによって押し付けられていないホースの部分は膨らんでいるので、この膨らんだ部分がコンクリートやアスファルト等に接触し易くなり、その結果、ホースが傷つきやすくなっていた。
また、結果として、早期にプロテクタを交換しなければならなかった。
【００１２】
また、特に、摩耗の激しい箇所が固定具付近にあると、ホース等が引きずられている際に固定具が離脱してしまうおそれもあった。
【００１３】
本発明は、以上の点に鑑みて創案されたものであり、均一に摩耗する線状物用プロテクタを提供することを目的とする。
【課題を解決するための手段】
【００１４】
上記の目的を達成するために、本発明の線状物用プロテクタは、線状物の外周面に同線状物と同心状に取付け可能に構成された筒状本体と、前記線状物の外周面に面する前記筒状本体の内周面の周方向に沿って設けられると共に、前記線状物の外周面と前記筒状本体の内周面との間に所定の間隙を形成する高さを有する突起部とを備える。
【００１５】
ここで、線状物の外周面に面する筒状本体の内周面の周方向に沿って設けられると共に、線状物の外周面と筒状本体の内周面との間に所定の間隙を形成する高さを有する突起部によって、線状物の外周面が筒状本体の内周面に接触し難くなり、突起部を含めた内側の面全体の接触よりも接触面積が小さい、突起部との接触になる。そして、接触面積が小さいので摩擦抵抗も小さくなり、筒状本体の周方向に回転しやすくなる。
【００１６】
また、筒状本体の中心軸線と略平行な方向すなわち線状物の長手方向は、突起部を横切る方向なので、線状物の外周面が突起部に引っ掛かりやすくなる。よって、筒状本体の周方向に回転可能であると共に、前記筒状本体の中心軸線と略平行な方向の動きが抑制される。
【００１７】
また、本発明の線状物用プロテクタにおいて、筒状本体の内周面に、複数の窪みが形成された場合、窪み内に溜まった例えば空気中の水分が、線状物例えばホースの外周面にしみ出た油と反発し合うので、筒状本体の内周面とホースの外周面の間の摩擦が減少し、その結果、筒状本体の周方向への回転が促進される。
【００１８】
また、本発明の線状物用プロテクタにおいて、突起部は、互いに略平行にかつ所定の間隔で離れて設けられる複数の突起部であることとすることができる。
【００１９】
この場合、例えば突起部が２本であれば、突起部と突起部の間には小石などが入り込み難いので、ホースなどを傷め難くなる。
また、突起部が２本であれば、突起部がレールの働きをするので、１本のときよりも安定して筒状本体の周方向に回転しやすくなる。
【００２０】
また、本発明の線状物用プロテクタにおいて、筒状本体は、第１の構成体と、第１の構成体と着脱可能に結合して筒状本体を形成する第２の構成体とで構成されることとすることができる。
【００２１】
この場合、ホースの端部から筒状本体を通す必要がなく、ホースの所望の位置に筒状本体を取付けることができる。
【００２２】
また、本発明の線状物用プロテクタにおいて、第１の構成体及び第２の構成体はそれぞれ、筒状本体の中心軸線と略平行な方向に、結合ピンが通される貫通孔が形成されたこととすることができる。
【００２３】
この場合、筒状本体の中心軸線と略平行な方向は、結合ピンと同様に直線状であるので、丸みを帯びた筒状本体の周方向に直線状の結合ピンが通されるよりも、線状物用プロテクタが劣化したときに、結合ピンが露出し難くなり、よって、結合ピンが離脱し難くなる。
【００２４】
また、本発明の線状物用プロテクタにおいて、突起部は、筒状本体の端面から離れた位置に設けられたこととすることができる。
【００２５】
この場合、外側に位置して損傷し易い筒状本体の端面（すなわち、縁）から離れて内側に、突起部が設けられているので、突起部が損傷し難くなる。
【００２６】
また、本発明の線状物用プロテクタにおいて、突起部は、筒状本体の内周面の周方向に沿って移動可能に構成されることとすることができる。
【００２７】
また、上記の目的を達成するために、本発明の線状物用プロテクタは、略半円形の第１の構成体と、該第１の構成体と着脱可能に結合して筒状本体を形成する、略半円形の第２の構成体とを備える線状物用プロテクタにおいて、前記筒状本体は、線状物の外周面に同線状物と同心状に取付けられた場合に、前記筒状本体の周方向に回転可能であると共に、前記筒状本体の中心軸線と略平行な方向の動きが抑制されるよう構成される。
【発明の効果】
【００２８】
本発明に係る線状物用プロテクタは、均一に磨耗することができる。
【図面の簡単な説明】
【００２９】
【図１】本発明の線状物用プロテクタの第１の態様を示す概略図である。
【図２】第１の態様の本発明の線状物用プロテクタを解体した状態を示す概略図である。
【図３】第１の態様の本発明の線状物用プロテクタをホースに取付けた状態を示す概略図である。
【図４】本発明の線状物用プロテクタの第２の態様を示す概略断面図である。
【図５】本発明の線状物用プロテクタの第３の態様を示す概略図である。
【図６】本発明の線状物用プロテクタの第３の態様の変形例を示す概略図である。
【図７】本発明の線状物用プロテクタの第４の態様を示す概略断面図である。
【図８】本発明の線状物用プロテクタの第５の態様を示す概略図である。
【図９】第５の態様の本発明の線状物用プロテクタの部分断面図である。
【図１０】従来のプロテクタがホースに取り付けられた状態を示す概略図である。
【発明を実施するための形態】
【００３０】
以下、本発明の実施の形態について図面を参照しながら説明し、本発明の理解に供する。
図１は、本発明の線状物用プロテクタの第１の態様を示す概略図である。また、図２は、第１の態様の本発明の線状物用プロテクタを解体した状態を示す概略図である。
【００３１】
本発明の線状物用プロテクタ１は、線状物の外周面に線状物と同心状に取付け可能に構成されたナイロン樹脂製の筒状本体２を備える。
なお、本発明で言う「線状物」とは、例えば、ホース、パイプ、または、ケーブルを意味する。
【００３２】
また、本発明の線状物用プロテクタ１は、線状物の外周面に面する筒状本体２の内周面の周方向に沿って設けられると共に、線状物の外周面と筒状本体２の内周面との間に所定の間隙を形成する高さを有する２本の突起部３を備える。
【００３３】
また、２本の突起部３は、互いに略平行にかつ所定の間隔で離れて設けられる。また、突起部３の形状は、鉄道レールのようにストレート形状である。
【００３４】
また、筒状本体２は、略半円形の第１の構成体２Ａと、結合ピン４を貫通孔７に通して第１の構成体２Ａと着脱可能に結合して筒状本体２を形成する、略半円形の第２の構成体２Ｂとで構成される。
【００３５】
ここで、第１の構成体２Ａと第２の構成体２Ｂはそれぞれ、端部に凸部５と凹部６とを有する。
第１の構成体２Ａと第２の構成体２Ｂとを結合させる場合、第１の構成体２Ａの凸部５と第２の構成体２Ｂの凹部６とを嵌め合い、また、第１の構成体２Ａの凹部６と第２の構成体２Ｂの凸部５とを嵌め合う。
【００３６】
そして、各構成体の凸部５に、筒状本体２の中心軸線と略平行な方向に形成された貫通孔７、及び、各構成体の凹部６を挟むように、筒状本体２の中心軸線と略平行な方向に形成された貫通孔７に、結合ピン４を通して、第１の構成体２Ａと第２の構成体２Ｂとを結合させる。
【００３７】
また、図に示すように、２本の突起部３は、筒状本体２の端面（すなわち、縁）から離れた位置に設けられている。
【００３８】
また、図に示すように、筒状本体２の縁に沿って、蛍光シール１２が付着されている。筒状本体２の縁は、筒状本体２の外周面ほど損傷し易いわけではないので、筒状本体２の縁に蛍光シール１２が付着される。
【００３９】
ここで、本発明の線状物用プロテクタが、線状物の外周面に線状物と同心状に取付け可能に構成された筒状本体と、線状物の外周面に面する筒状本体の内周面の周方向に沿って設けられると共に、線状物の外周面と筒状本体の内周面との間に所定の間隙を形成する高さを有する突起部とを備えるのであれば、必ずしも突起部は、互いに略平行にかつ所定の間隔で離れて設けられた２本の突起部でなくてもよく、１本であってもよい。
【００４０】
しかし、突起部が、互いに略平行にかつ所定の間隔で離れて設けられた複数例えば２本の突起部であれば、突起部と突起部の間には小石などが入り込み難いので、ホースなどを傷め難くなり、好ましい。
また、互いに略平行にかつ所定の間隔で離れて設けられた３本の突起部とすることもできる。
【００４１】
また、突起部が、互いに略平行にかつ所定の間隔で離れて設けられた複数例えば２本の突起部であれば、突起部がレールの働きをするので、１本のときよりも安定して筒状本体の周方向に回転しやすくなるので好ましい。
【００４２】
また、本発明の線状物用プロテクタが、線状物の外周面に線状物と同心状に取付け可能に構成された筒状本体と、線状物の外周面に面する筒状本体の内周面の周方向に沿って設けられると共に、線状物の外周面と筒状本体の内周面との間に所定の間隙を形成する高さを有する突起部とを備えるのであれば、必ずしも筒状本体は、第１の構成体と第２の構成体という２つの部品に分かれていなくてもよく、一体化したものであってもよい。
【００４３】
しかし、筒状本体が、第１の構成体と、第１の構成体と着脱可能に結合して筒状本体を形成する第２の構成体とで構成されていれば、ホースの端部から筒状本体を通す必要がなく、ホースの所望の位置に筒状本体を取付けることができるので好ましい。
【００４４】
また、第１の構成体と第２の構成体が結合して筒状本体を形成するのであれば、必ずしも第１の構成体と第２の構成体がどちらも略半円形の形状を有していなくてもよく、例えば、一方が筒状本体の３／４を占めるような形状であってもよい。
【００４５】
また、本発明の線状物用プロテクタが、線状物の外周面に線状物と同心状に取付け可能に構成された筒状本体と、線状物の外周面に面する筒状本体の内周面の周方向に沿って設けられると共に、線状物の外周面と筒状本体の内周面との間に所定の間隙を形成する高さを有する突起部とを備えるのであれば、必ずしも突起部は、筒状本体の端面から離れた位置に設けられていなくてもよく、例えば端面に沿って設けられてもよい。
【００４６】
しかし、突起部が、筒状本体の端面から離れた位置に設けられていれば、突起部が損傷し難くなるので好ましい。
【００４７】
また、筒状本体は、線状物の外周面に線状物と同心状に取付けられた場合に、筒状本体の周方向に回転可能であると共に、筒状本体の中心軸線と略平行な方向の動きが抑制されるのであれば、必ずしも断面が円形のものに限定されるものではない。
【００４８】
また、周囲が暗くなったときに光るのであれば、必ずしも蛍光シールを付着しなくてもよく、例えば、筒状本体の縁に沿って溝を形成し、この溝に蛍光塗料を埋め込んでもよいし、筒状本体の材料となる樹脂に蛍光材料を混ぜて、この樹脂を用いて筒状本体を成形してもよい。また、反射シールを付着してもよいし、必ずしも、蛍光シールや反射シールなど光る部材を適用しなくてもよい。
【００４９】
図３は、第１の態様の本発明の線状物用プロテクタをホースに取付けた状態を示す概略図である。
ホース１０の任意の位置に、第１の構成体と第２の構成体を嵌め込み、互いに結合ピンで結合させて、本発明の線状物用プロテクタ１をホース１０に取付ける。
【００５０】
そして、本発明の線状物用プロテクタ１が取付けられたホース１０を引きずると、本発明の線状物用プロテクタ１の突起部によって、図３の矢印で示すように、本発明の線状物用プロテクタ１は筒状本体の周方向に回転する。
【００５１】
図４は、本発明の線状物用プロテクタの第２の態様を示す概略断面図である。
図４に示すように、本発明の第２の態様の線状物用プロテクタにおける突起部は、第１の態様と異なり、筒状本体を構成する第１の構成体２Ａの内周面の周方向に沿って一列に、一部が露出するように埋め込まれた複数の玉８である。
【００５２】
また、玉８の露出した部分は、線状物の外周面と筒状本体の内周面との間に所定の間隙を形成する高さを有する。
なお、図４では、第１の構成体２Ａのみを図示しているが、第２の構成体にも、同様に玉８が埋め込まれていることは勿論である。
【００５３】
また、図１に示すようなストレート形状の突起部に沿って、一部が露出するように玉を埋め込むこともできる。
【００５４】
図５は、本発明の線状物用プロテクタの第３の態様を示す概略図である。
図５に示すように、本発明の第３の態様の線状物用プロテクタでは、筒状本体を構成する第１の構成体２Ａの内周面に、複数の窪み９が形成される。なお、第２の構成体の内周面にも、複数の窪みが形成されることは勿論である。
【００５５】
また、図５では、ストレート形状の突起部３が示されているが、ストレート形状の突起部の代わりに、図４に示すように玉を埋め込んで突起部としてもよいことは勿論である。
【００５６】
図６は、本発明の線状物用プロテクタの第３の態様の変形例を示す概略図である。
図６に示すように、本発明の第３の態様の変形例の線状物用プロテクタでは、筒状本体を構成する第１の構成体２Ａの内周面に、突起部３と略同じ高さを有すると共に上面に窪み９が形成されたピン９Ａが複数設けられている。なお、第２の構成体の内周面にも、同様な複数のピンが設けられることは勿論である。
【００５７】
ピン９Ａは、その上面に窪み９が形成されているので、窪み９内に溜まった空気中の水分が、ホースの外周面にしみ出た油と反発し合い、筒状本体の内周面とホースの外周面の間の摩擦が減少し、その結果、筒状本体の周方向への回転が促進される。
【００５８】
さらに、ピン９Ａは突起部３と略同じ高さを有するので、ホースの外周面が、突起部３に引っ掛かりやすくなるのと同様にピン９Ａにも引っ掛かりやすくなり、筒状本体の中心軸線と略平行な方向の動きがさらに抑制される。
【００５９】
また、図５及び図６においては、窪み９やピン９Ａは、第１の構成体２Ａの内周面にランダムに形成された様子が示されているが、例えば、突起部３に沿って窪みやピンを規則正しく形成することもできるし、また、突起部３に挟まれた領域には、窪みやピンを形成しないようにし、筒状本体の縁（端面）と突起部との間の領域にのみ窪みやピンを形成するようにしてもよい。
【００６０】
図７は、本発明の線状物用プロテクタの第４の態様を示す概略断面図である。
図７に示すように、本発明の第４の態様の線状物用プロテクタにおける突起部３は、筒状本体を構成する第１の構成体２Ａの内周面の周方向に沿って、断続的に設けられた山形状の突起部である。なお、第２の態様のように玉を埋め込んでも山形状の突起部が形成できるが、本発明の第４の態様の線状物用プロテクタにおいては、玉を埋め込まずに、筒状本体を構成する第１の構成体２Ａの一部を山形状にしている。
【００６１】
なお、山の高さは、線状物の外周面と筒状本体の内周面との間に所定の間隙を形成する高さである。
【００６２】
また、突起部は、線状物の外周面に面する筒状本体の内周面の周方向に沿って設けられると共に、線状物の外周面と筒状本体の内周面との間に所定の間隙を形成する高さを有するのであれば、例えば波形状の突起部であってもよい。
【００６３】
図８は、本発明の線状物用プロテクタの第５の態様を示す概略図であり、図９は、第５の態様の本発明の線状物用プロテクタの部分断面図である。
【００６４】
図８及び図９に示すように、本発明の第５の態様の線状物用プロテクタにおける２本の突起部３は、それぞれ筒状本体の端面側へ向けて折り曲げられた断面Ｌ字形状を有する。また、本発明の第５の態様の線状物用プロテクタにおける２本の突起部は、線状物の外周面と筒状本体の内周面との間に所定の間隙を形成する高さを有する。
【００６５】
また、断面Ｌ字形状の突起部３を係合する為に、側壁が対向するよう折り曲げられた断面Ｌ字形状を有するレール部材１１がホース１０に固定されており、図９に示すように、２本の突起部３とレール部材１１とが係合する。
【００６６】
このような構成によって、より一層、筒状本体の周方向への回転が促進される。なお、レール部材１１は、本発明の線状物用プロテクタで隠れるようにするため、筒状本体の中心軸線と略平行な方向のレール部材１１の長さは、筒状本体の長さよりも短い。
【００６７】
また、このようなレール構造を応用して、例えば、筒状本体の内周面の周方向に沿って形成された溝に、筒状本体の内周面の周方向に沿って滑走可能に突起部を取付ければ、ホースの外周面にホースと同心状に取付けられた筒状本体が、突起部に沿って筒状本体の周方向に回転できる。
【００６８】
また、その他の態様として、例えば、第１の態様の本発明の線状物用プロテクタの内側面全体を薄いナイロン樹脂製のシートで覆うようにしてもよい。このとき、シートの縁と線状物用プロテクタの端面のみを接着し、突起部及び内周面と、シートとは接着しないようにして袋状に覆う。
【００６９】
シートによって滑りが良くなるので、筒状本体の周方向に回転しやすいと共に、シートが薄いので、突起部を覆っていてもホースなどに線状物用プロテクタを取付けたとき、突起部が浮き出て突起部としての働きを損ねることがなく、筒状本体の中心軸線と略平行な方向の動きは抑制される。
【００７０】
以上のように、本発明の線状物用プロテクタは、ホースなどの線状物の外周面に面する筒状本体の内周面の周方向に沿って設けられると共に、線状物の外周面と筒状本体の内周面との間に所定の間隙を形成する高さを有する突起部を備えるので、線状物の外周面が筒状本体の内周面に接触し難くなり、突起部を含めた内側の面全体の接触よりも接触面積が小さい、突起部との接触になる。そして、接触面積が小さいので摩擦抵抗も小さくなり、筒状本体の周方向に回転しやすくなる。
【００７１】
従って、本発明の線状物用プロテクタは、均一に摩耗することができる。その結果、交換までの期間も、固定式の従来のプロテクタが使用開始から約３週間であるのに対し、本発明の線状物用プロテクタは約３ヶ月であり、従来のプロテクタよりも寿命が長い。
【００７２】
また、本発明の線状物用プロテクタは、均一に摩耗するので、余裕を持って交換することができる。
【００７３】
また、本発明の線状物用プロテクタは、第１の構成体と、第２の構成体という２つの略半円形の部材が着脱可能に結合して構成されているので、ホースの所望の位置に、第１の構成体と、第２の構成体とを嵌め込んで、本発明の線状物用プロテクタを装着することができる。
【００７４】
また、本発明の線状物用プロテクタは、筒状本体の縁に沿って蛍光シールが付着されているので、周囲が暗くなっても蛍光シールが光り、ホースの位置を把握しやすい。
【符号の説明】
【００７５】
１    線状物用プロテクタ
２    筒状本体
２Ａ  第１の構成体
２Ｂ  第２の構成体
３    突起部
４    結合ピン
５    凸部
６    凹部
７    貫通孔
８    玉
９    窪み
９Ａ  ピン
１０    ホース
１１    レール部材
１２    蛍光シール
【図１】
2012102762.tif 000003
【図２】
2012102762.tif 000004
【図３】
2012102762.tif 000005
【図４】
2012102762.tif 000006
【図５】
2012102762.tif 000007
【図６】
2012102762.tif 000008
【図７】
2012102762.tif 000009
【図８】
2012102762.tif 000010
【図９】
2012102762.tif 000011
【図１０】
2012102762.tif 000012